(57)【特許請求の範囲】
【請求項１】
絶縁性を有するボディと、
このボディ内に設けられた端子群と、
導電性を有するシールドケースとを備えており、
前記端子群は、第１端子と、
この第１端子に隣接しており且つ該第１端子よりもインピーダンスが高い第２端子とを有しており、
前記シールドケースは、前記ボディの外周を囲う外殻部と、
この外殻部に設けられ、前記第１端子の反対側で前記第２端子の少なくとも一部に隣接するインピーダンス調整部とを有しているコネクタ。
【請求項２】
請求項１記載のコネクタにおいて、
前記外殻部は、第１、第２外殻部を有しており、
前記ボディは、先端部及び後端部を有するボディ本体を有しており、
前記第２外殻部は、前記ボディ本体の先端部が収容された筒状の収容部を有しており、
前記第１外殻部は、前記ボディ本体の後端部の少なくとも一部を覆うベース部を有しており、
前記ベース部又は収容部には開口が設けられており、
前記収容部又はベース部には前記開口を塞ぐ蓋部が設けられており、
前記インピーダンス調整部が前記開口の縁部に立設されているコネクタ。
【請求項３】
請求項１記載のコネクタにおいて、
前記外殻部は、第１、第２外殻部を有しており、
前記第２外殻部は、前記ボディの先端部が収容された筒状の収容部を有しており、
前記第１外殻部は、前記ボディの後端部の少なくとも一部を覆うベース部を有しており、
前記ベース部又は収容部には開口が設けられており、
前記収容部又はベース部には前記開口を塞ぐ蓋部が設けられており、
前記インピーダンス調整部が前記蓋部に立設され、前記開口に挿入されているコネクタ。
【請求項４】
請求項２又は３記載のコネクタにおいて、
前記ベース部が前記ボディ本体の後端部の下面に当接しており、
前記収容部は、前記ボディ本体の先端部及び後端部の上面に当接する第１板部と、
前記第１板部よりも短く前記ボディ本体の先端部の下面に当接する第２板部と、
前記ボディ本体の先端部の両側面に当接する第３、第４板部をと有しており、
前記第２外殻部は、前記第１板部又は第３、第４板部に連設され、前記後端部の両側面に当接する一対のカバー部を更に有しているコネクタ。
【請求項５】
請求項４記載のコネクタにおいて、
前記第１外殻部は前記ベース部に立設された一対の係止部を更に有し、
前記係止部が前記カバー部に係止されているコネクタ。
【請求項６】
請求項２乃至５のいずれか記載のコネクタにおいて、
前記端子群に各々接続される複数の信号線と、この信号線を覆うシールド導体とを有するケーブルを更に備えており、
前記第１、第２外殻部は互いに接触しており、前記第１、第２外殻部の少なくとも一方は、前記シールド導体に接触する接続部を更に有しているコネクタ。
【請求項７】
請求項２乃至６の何れかに記載のコネクタにおいて、
前記ボディには、前記第２端子の前記第１端子の反対側にスリットが設けられており、
前記インピーダンス調整部が前記スリットに挿入されているコネクタ。
【請求項８】
請求項１記載のコネクタにおいて、
前記インピーダンス調整部が、前記外殻部の内側に延びるように当該外殻部に立設されており且つ前記ボディ内に埋設されているコネクタ。
【請求項９】
請求項１乃至８の何れかに記載のコネクタにおいて、
前記端子群は、上下二列に配列された複数の端子を有しており、
前記第２端子は上列又は下列の前記端子のうち最端に位置する端子であり、
前記第１端子は、前記第２端子と同じ列であり且つ当該第２端子の内側に位置する端子であるコネクタ。
【請求項１０】
請求項９記載のコネクタにおいて、
前記端子群は、前記第１、第２端子と異なる列で、平面位置的に当該第１、第２端子の間に配置された第３端子を更に有しており、
前記第１、第２端子が差動ペアをなすコネクタ。
【発明の詳細な説明】
【技術分野】
【０００１】
本発明は複数の端子を有するコネクタに関する。
【背景技術】
【０００２】
従来のコネクタは、絶縁性を有するボディと、このボディを囲う導電性を有するシールドケースと、前記ボディ内に設けられた端子群とを備えている。前記端子群は、隣り合い且つ差動ペアなす複数の第１、第２端子を有している。この差動ペアのうち、最も端に位置する差動ペアの第２端子は、前記端子群の最も端に位置しているため、内側には当該差動ペアを構成する第１端子が存在するものの、外側には隣り合う端子が存在しない。このため、前記第２端子のインピーダンスが前記第１端子のインピーダンスに比べて高くなる。その結果、最も端の差動ペアの第１、第２端子間のインピーダンスに不整合が生じ、最も端の差動ペアの第１、第２端子間のインピーダンス特性が、他の差動ペアの第１、第２端子のインピーダンス特性と相違していた。
【０００３】
このような問題を解決し得る手段としては、第１、第２端子の隣にグランド端子を配置し、全ての差動ペアの第１、第２端子間のインピーダンスを整合し、全ての差動ペアの第１、第２端子間のインピーダンス特性を一致させるようにしたものがある（特許文献１参照）。
【先行技術文献】
【特許文献】
【０００４】
【特許文献１】特開２００９−１８１７３３号公報
【発明の概要】
【発明が解決しようとする課題】
【０００５】
ところが、別部品であるグランド端子が追加されると、部品点数が増加し、コネクタ全体の構成が複雑になる。これがコネクタのコストアップの要因となっていた。
【０００６】
本発明は、上記事情に鑑みて創案されたものであって、その目的とするところは、部品点数を増加させることなく、インピーダンス整合の対象となる端子のインピーダンス整合を図ることができるコネクタを提供することにある。
【課題を解決するための手段】
【０００７】
上記課題を解決するために、本発明のコネクタは、絶縁性を有するボディと、このボディ内に設けられた端子群と、導電性を有するシールドケースとを備えている。前記端子群は、第１端子と、この第１端子に隣接しており且つ該第１端子よりもインピーダンスが高い第２端子とを有している。前記シールドケースは、前記ボディの外周を囲う外殻部と、この外殻部に設けられ、前記第１端子の反対側で前記第２端子の少なくとも一部に隣接するインピーダンス調整部とを有している。
【０００８】
このようなコネクタによる場合、シールドケースの一部であるインピーダンス調整部が第１端子の反対側で第２端子の少なくとも一部に隣接しているので、別部品を追加することなく、第２端子のインピーダンスを下げることができる。よって、第１、第２端子間のインピーダンス整合を図ることもできる。
【０００９】
前記外殻部は、第１、第２外殻部を有する構成とすることが可能である。前記ボディは、先端部及び後端部を有するボディ本体を有している。前記第２外殻部は、前記ボディ本体の先端部が収容された筒状の収容部を有している。前記第１外殻部は、前記ボディ本体の後端部の少なくとも一部を覆うベース部を有している。前記ベース部又は収容部には開口が設けられている。前記収容部又はベース部には前記開口を塞ぐ蓋部が設けられている。前記インピーダンス調整部は前記開口の縁部に立設されている。
【００１０】
この場合、第２外殻部の収容部にボディ本体の先端部を収容し、第１外殻部のベース部でボディ本体の後端部の少なくとも一部を覆う。このとき、前記ベース部又は収容部の開口の縁部に立設されたインピーダンス調整部が第２端部に隣接配置され、前記開口が前記前記収容部又はベース部の蓋部で覆われるようになっている。このため、前記インピーダンス調整部と第２又は第１外殻部とが干渉するのを避けることができるので、本コネクタの組み立てが簡単になる。
【００１１】
前記インピーダンス調整部は、前記開口の縁部ではなく、前記蓋部に設けられ、前記開口に挿入された構成とすることが可能である。この場合であっても、第２外殻部の収容部にボディ本体の先端部を収容し、第１外殻部のベース部でボディ本体の後端部の少なくとも一部を覆う際に、前記開口が前記蓋部で覆われ、インピーダンス調整部が前記開口に挿入され、第２端部に隣接配置されるようになっている。よって、前記インピーダンス調整部と第２又は第１外殻部とが干渉するのを避けることができるので、本コネクタの組み立てが簡単になる。
【００１２】
前記ベース部が前記ボディ本体の後端部の下面に当接する構成とすることが可能である。この場合、前記収容部は、前記ボディ本体の先端部及び後端部の上面に当接する第１板部と、前記第１板部よりも短く前記ボディ本体の先端部の下面に当接する第２板部と、前記ボディ本体の先端部の両側面に当接する第３、第４板部をと有し、前記第２外殻部は、前記第１板部又は第３、第４板部に連設され、前記後端部の両側面に当接する一対のカバー部を更に有する構成とすることが可能である。
【００１３】
この場合、収容部にボディ本体の先端部を収容すると、第１板部がボディ本体の先端部及び後端部の上面に当接し、第２板部がボディ本体の先端部の下面に当接し、第３、第４板部がボディ本体の先端部の両側面に当接し、カバー部がボディ本体の後端部の両側面に当接する。その後、ベース部をボディ本体の後端部の下面に当接させるだけで、第１、第２外殻部でボディ本体の外周を覆うことができるので、本コネクタの組み立てが簡単になる。
【００１４】
前記第１外殻部は前記ベース部に立設された一対の係止部を更に有する構成とすることが可能である。前記係止部が前記カバー部に係止されている。この場合、ベース部をボディ本体の後端部の下面に当接させると共に、係止部をカバー部に係止させるだけで、第１、第２外殻部を組み合わせ且つボディに取り付けることができるので、本コネクタの組み立てが簡単になる。
【００１５】
前記コネクタが、前記端子群に各々接続される複数の信号線と、この信号線を覆うシールド導体とを有するケーブルを更に備えた構成とすることが可能である。この場合、前記第１、第２外殻部は互いに接触しており、前記第１、第２外殻部の少なくとも一方は、前記シールド導体に接触する接続部を更に有する構成とすることができる。この場合、接続部をケーブルのシールド導体に接触させるだけで、第１、第２外殻部をグランド接続することができるので、第１、第２外殻部のグランド接続を簡単に行うことができる。また、第１、第２外殻部のグランド接続されていることから、浮遊グランドが存在しない。
【００１６】
前記ボディには、前記第２端子の前記第１端子の反対側にスリットが設けられた構成とすることが可能である。前記インピーダンス調整部が前記スリットに挿入されている。この場合、第１、第２外殻部をボディに取り付ける際に、インピーダンス調整部をボディのスリットに挿入するだけで、該インピーダンス調整部を前記第１端子の反対側で前記第２端子の少なくとも一部に隣接させることができる。よって、本コネクタの組み立てが簡単になる。
【００１７】
或いは、前記インピーダンス調整部は、前記外殻部の内側に延びるように当該外殻部に立設されており且つ前記ボディ内に埋設された構成とすることが可能である。この場合、インピーダンス調整部をボディに埋設する際に、インピーダンス調整部を前記第１端子の反対側で前記第２端子の少なくとも一部に隣接させることができる。よって、本コネクタの組み立てが簡単になる。
【００１８】
前記端子群は、上下二列に配列された複数の端子を有する構成とすることが可能である。この場合、前記第２端子は上列又は下列の前記端子のうち最端に位置する端子であり、前記第１端子は、前記第２端子と同じ列であり且つ当該第２端子の内側に位置する端子である。
【００１９】
前記端子群は、前記第１、第２端子と異なる列で、平面位置的に当該第１、第２端子の間に配置された第３端子を更に有する構成とすることが可能である。この場合、前記第１、第２端子が差動ペアをなしている。この場合、第２端子は、外側には隣り合う端子が存在しないため、第２端子のインピーダンスが第１端子のインピーダンスに比べて高くなるが、シールドケースの一部であるインピーダンス調整部が第１端子の反対側で第２端子の少なくとも一部に隣接することにより、第２端子のインピーダンスが低下する。よって、差動ペアをなす第１、第２端子間のインピーダンス整合を図ることができる。
【図面の簡単な説明】
【００２０】
【図１】本発明の実施の形態に係るコネクタの正面、平面及び右側面側から表した概略的斜視図である。
【図２】（ａ）は前記コネクタの樹脂ケースを取り外した状態を示す正面、平面及び右側面側から表した概略的斜視図である。（ｂ）は前記コネクタの樹脂ケースを取り外した状態を示す正面、底面及び左側面側から表した概略的斜視図である。
【図３】（ａ）は前記コネクタの樹脂ケース及びケーブルを取り外した状態を示す概略的正面図である。（ｂ）は前記コネクタの樹脂ケース及びケーブルを取り外した状態を示す概略的背面図である。
【図４】（ａ）は図３（ａ）中の概略的Ａ−Ａ断面図である。（ｂ）は図３（ａ）中の概略的Ｂ−Ｂ断面図である。
【図５】（ａ）は前記コネクタの端子が設けられたボディの正面、平面及び右側面側から表した概略的斜視図である。（ｂ）は前記コネクタの端子が設けられたボディの背面、底面及び右側面側から表した概略的斜視図である。
【図６】（ａ）は前記コネクタの第２外殻部の正面、平面及び右側面側から表した概略的斜視図である。（ｂ）は前記コネクタの第２外殻部の背面、底面及び右側面側から表した概略的斜視図である。
【図７】（ａ）は前記コネクタの第１外殻部の正面、平面及び右側面側から表した概略的斜視図である。（ｂ）は前記コネクタの第１外殻部の背面、底面及び右側面側から表した概略的斜視図である。
【発明を実施するための形態】
【００２１】
以下、本発明の実施の形態に係るコネクタについて図１乃至図７を参照しつつ説明する。図１乃至図３に示すコネクタは、ＨＤＭＩ（登録商標）のＴＹＰＥ  Ａ用のレセプタクルコネクタである。このコネクタは、ボディ１００と、端子群２００と、シールドケース３００と、ケーブル４００と、樹脂ケース５００ａ、５００ｂとを備えている。以下、前記コネクタの各部について詳しく説明する。
【００２２】
ボディ１００は、シールドケース３００に収容された絶縁樹脂製の射出整形品である。このボディ１００は、図３乃至５に示すように、ボディ本体１１０と、前側凸部１２０と、後側凸部１３０とを有している。ボディ本体１１０は、略六角形状の先端部１１１と、先端部１１１に連続して設けられた矩形状の後端部１１２とを有している。先端部１１１及び後端部１１２の中央部には、ボディ本体１１０を前後方向に貫通する複数の圧入孔１１３が上下二列で配設されている。上列、下列の圧入孔１１３は千鳥配置されている。先端部１１１の先端面の上列、下列の圧入孔１１３の間には、平板状の前側凸部１２０が突設されている。後端部１１２の後端面の上列、下列の圧入孔１１３の間には、平板状の後側凸部１３０が突設されている。前側凸部１２０の上下面には、上列、下列の圧入孔１１３に各々連通する複数の前側挿入溝１２１が設けられている。後側凸部１３０の上下面にも、上列、下列の圧入孔１１３に各々連通する複数の後側挿入溝１３１が設けられている。
【００２３】
端子群２００は、端子２０１〜２１９を有している。端子群２００の端子２０１〜２１９の中間部は圧入孔１１３に圧入されている。端子２１１〜２１９の先端部は前側挿入溝１２１に、端子２０１〜２１９の後端部は後側挿入溝１３１に挿入されている。したがって、端子２０１〜２１９は上下二列で千鳥配置されている。具体的には、図４（ａ）に示すように、端子２０１、２０３、２０５、２０７、２０９、２１１、２１３、２１５、２１７、２１９が上列に配置され、端子２０２、２０４、２０６、２０８、２１０、２１２、２１４、２１６が下列に位置している。
【００２４】
隣り合う端子２０１、２０３（第２、第１端子）は、ＴＭＤＳ Ｄａｔａ２＋、ＴＭＤＳ Ｄａｔａ２−伝送用に使用される差動信号端子である。すなわち、端子２０１、２０３が差動ペアをなしている。端子２０２（第３端子）は、端子２０１、２０３の基準となるグランド端子であって、平面位置的に端子２０１、２０３の間に配置されている。端子２０１は、端子群２００の上列の最も端に位置している。このため、端子２０１の図示左側には、端子２０３が存在しているものの、端子２０１の図示右側には他の端子が存在しない。よって、端子２０１は、端子２０３に比べてインピーダンスが高くなり、その結果、端子２０１、２０３間のインピーダンスに不整合が生じ、端子２０１、２０３間のインピーダンス特性が、後述する他の差動ペアの端子間のインピーダンス特性と相違している。
【００２５】
隣り合う端子２０４、２０６は、ＴＭＤＳ Ｄａｔａ１＋、ＴＭＤＳ Ｄａｔａ１−伝送用に使用される差動信号端子である。すなわち、端子２０４、２０６が差動ペアをなしている。端子２０５は、端子２０４、２０６の基準となるグランド端子であって、平面位置的に端子２０４、２０６の間に配置されている。隣り合う端子２０７、２０９は、ＴＭＤＳＤａｔａ０＋、ＴＭＤＳ Ｄａｔａ０−伝送用に使用される差動信号端子である。すなわち、端子２０７、２０９が差動ペアをなしている。端子２０８は、端子２０７、２０９の基準となるグランド端子であって、平面位置的に端子２０７、２０９の間に配置されている。隣り合う端子２１０、２１２は、ＴＭＤＳＣｌｏｃｋ＋、ＴＭＤＳ Ｃｌｏｃｋ−伝送用に使用される差動信号端子である。すなわち、端子２１０、２１２が差動ペアをなしている。端子２１１は、端子２１０、２１２の基準となるグランド端子であって、平面位置的に端子２１０、２１２の間に配置されている。
【００２６】
端子２１３は、制御用のデータであるＣＥＣ信号伝送用に使用されるＣＥＣ端子である。端子２１４は空き（Reserved）となっている。端子２１６は、Ｅ−ＥＤＩＤ等のＳＤＡ(Serial  Data)信号に使用される端子である。端子２１５はＳＤＡ信号の送受信時の同期に用いられるクロック信号であるＳＣＬ(Serial Clock)信号伝送用に使用される端子である。端子２１７は、ＣＥＣ／ＤＤＣグランド端子である。端子２１８は電源用端子である。端子２１９は、本レセプタクルコネクタが図示されていないプラグコネクタに接続された状態を検出するためのホットプラグ検出用端子である。
【００２７】
ケーブル４００は、複数の信号線４１０と、シールド導体４２０と、保護層４３０とを有している。信号線４１０は、芯線４１１が絶縁樹脂層で覆われた構成となっている。芯線４１１の先端部は絶縁樹脂層から露出しており、端子２０１〜２１９の後端部に各々半田接続されている。シールド導体４２０は信号線４１０全体を覆う導電性を有する円筒状の編組線である。シールド導体４２０の端部は保護層４３０から露出している。保護層４３０はシールド導体４２０を覆う円筒状の絶縁樹脂である。なお、図４（ｂ）において、シールド導体４２０及び保護層４３０の内部は図示省略されている。
【００２８】
また、ボディ１００のボディ本体１１０の先端部１１１の上端部には、ボディ１００の幅方向に延びた上側凹部１１１ａが、先端部１１１の下端部には前記幅方向に延びた下側凹部１１１ｂが設けられている。上側凹部１１１ａ、下側凹部１１１ｂの奥側面は、前方に向けて下り傾斜した傾斜面となっている。ボディ本体１１０の後端部１１２の上端部には、上側凹部１１１ａの前記幅方向の両端部の後側に一対の係止凹部１１２ａが設けられている。また、後端部１１２の中央部の下端部には、下側凹部１１１ｂの後側に、該下側凹部１１１ｂと略同じ幅寸法を有する係止凹部１１２ｂが設けられている。更に、後端部１１２の前記幅方向の両端部の下端部には、一対のスリット１１２ｃが設けられている。スリット１１２ｃの深さ寸法は、図４（ａ）に示すように、該スリット１１２ｃが端子２０１、２１９の外側（すなわち、端子２０１、２１９の端子２０３、２１６の反対側）に存在する深さとなっている。
【００２９】
シールドケース３００は、導電性を有する金属板で構成された第１、第２外殻部３００ａ、３００ｂを有している。この第１、第２外殻部３００ａ、３００ｂは互いに組み合わせられ、ボディ１００の外周を囲う外殻部となっている。第２外殻部３００ｂは、図６に示すように、筒状の収容部３１０ｂと、蓋部３２０ｂと、一対のカバー部３３０ｂ（係止部）と、接続部３４０ｂとを有している。収容部３１０ｂは、天板３１１ｂ（第１板部）と、底板３１２ｂ（第２板部）と、一対の側板３１３ｂ（第３、第４板部）とを有している。天板３１１ｂは底板３１２ｂに対向する該底板３１２ｂよりも長く且つ幅広な矩形状の板であって、ボディ本体１１０の先端部１１１及び後端部１１２の上面に当接している。底板３１２ｂはボディ本体１１０の先端部１１１の下面に当接している。側板３１３ｂは、天板３１１ｂの先端部の幅方向の両端と底板３１２ｂの幅方向の両端とを繋ぐ板であって、ボディ本体１１０の先端部１１１の幅方向の両側面に当接している。側板３１３ｂの下端部は、先端部１１１に形状に応じて内側に向けて傾斜している。このように天板３１１ｂ、底板３１２ｂ及び一対の側板３１３ｂの内形（収容部３１０ｂの内形）がボディ１００のボディ本体１１０の先端部１１１の外形に対応した略六角形の筒状となっている。この収容部３１０ｂにボディ１００の先端部１１１が後方から嵌合し、該収容部３１０ｂ内にボディ１００の前側凸部１２０が挿入されている。この状態で、ボディ本体１１０の後端部１１２の前記両端部の下端部が側板３１３ｂの傾斜した下端部に後方から当接している。収容部３１０ｂ及びボディ１００の先端部１１１とにより区画される空間が、プラグコネクタの接続部が挿入される接続穴となっている。
【００３０】
また、天板３１１ｂの後端部の幅方向の両端には、矩形状の板体であるカバー部３３０ｂが各々垂下されている。カバー部３３０ｂの内面はボディ本体１１０の後端部１１２の幅方向の両側面に当接している。カバー部３３０ｂの外面には、外側に凸の一対の係止凸部３３１ｂが設けられている。また、天板３１１ｂの後端の中央部には、接続部３４０ｂが連設されている。この接続部３４０ｂの円弧状の後端部がケーブル４００のシールド導体４２０に接触し、電気的に接続されている。また、天板３１１ｂの先端部には、該先端部の一部を切り欠いて作成された一対の係止片３１１ｂ１が設けられている。この係止片３１１ｂ１の先端部は下方に向けて円弧状に折り曲げられている。底板３１２ｂにも、その一部を切り欠いて作成された一対の係止片３１２ｂ１が設けられている。この係止片３１２ｂ１の先端部は上方に向けて円弧状に折り曲げられている。係止片３１１ｂ１、３１２ｂ１が収容部３１０ｂの接続穴に挿入されたプラグコネクタの接続部を弾性的に挟持するようになっている。更に、天板３１１ｂの係止片３１１ｂ１の後方部分には、一対の係止凸部３１１ｂ２が設けられている。また、底板３１２ｂの後端には蓋部３２０ｂが連設されている。この蓋部３２０ｂは天板３１１ｂの後端部に対向する矩形状の板であって、ボディ本体１１０の後端部１１２の下面に当接している。蓋部３２０ｂには係止凸部３２１ｂが設けられている。係止凸部３１１ｂ２がボディ１００の一対の係止凹部１１２ａに各々係止されると共に、係止凸部３２１ｂがボディ１００の係止凹部１１２ｂに係止されている。これにより、ボディ１００の先端部１１１が収容部３１０ｂに嵌合した状態で維持されている。
【００３１】
第１外殻部３００ａは、ベース板３１０ａ（ベース部）と、一対のインピーダンス調整板３２０ａ（インピーダンス調整部）と、一対の係止板３３０ａ（係止部）と、一対の背面板３４０ａと、接続部３５０ａとを有している。ベース板３１０ａは矩形状の板であって、先端部に開口３１１ａが設けられている。この開口３１１ａの形状は、第２外殻部３００ｂの蓋部３２０ｂの外形よりも若干大きい矩形状である。この開口３１１ａに蓋部３２０ｂが嵌まり込み、該開口３１１ａを蓋部３２０ｂで塞いでいる。また、ベース板３１０ａの開口３１１ａの両縁部は、ボディ１００のボディ本体１１０の後端部１１２の幅方向の両端部の下面に当接している。ベース板３１０ａの開口３１１ａの両縁部には矩形状の一対のインピーダンス調整板３２０ａが各々立設されている。このインピーダンス調整板３２０ａがボディ１００の一対のスリット１１２ｃに挿入され、端子２０１、２１９の中間部の外側（すなわち、端子２０１、２１９の端子２０３、２１７の反対側）に隣接している。インピーダンス調整板３２０ａと端子２０１との間の距離は、端子２０１のインピーダンスと端子２０３のインピーダンスとが略同じになる距離に設定されている。
【００３２】
また、ベース板３１０ａの幅方向の両端には、矩形状の係止板３３０ａが各々立設されている。係止板３３０ａはインピーダンス調整板３２０ａと同方向に延びている。各係止板３３０ａには一対の係止孔３３１ａが設けられている。この係止孔３３１ａに第２外殻部３００ｂのカバー部３３０ｂの一対の係止凸部３３１ｂが各々係止されている。これにより、第１、第２外殻部３００ａ、３００ｂが組み合わされ且つボディ１００に取り付けられた状態で維持されている。係止板３３０ａの後端には、内側に向けて直角に折り曲げられた背面板３４０ａが各々設けられている。背面板３４０ａの間の空間がケーブル４００の信号線４１０を通す挿入口となっている。また、ベース板３１０ａの中央部の後端には接続部３５０ａが連設されている。接続部３５０ａは、リング状の接続部本体３５１ａと、この接続部本体３５１ａとベース板３１０ａの後端とを繋ぐ連結板３５２ａとを有している。接続部本体３５１ａは、第２外殻部３００ｂの接続部３４０ｂ及びケーブル４００のシールド導体４２０に外嵌し、該シールド導体４２０に接触して電気的に接続されている。すなわち、第１、第２外殻部３００ａ、３００ｂはシールド導体４２０を通じてグランド接続されている。よって、本コネクタは浮遊グランドが存在しない。
【００３３】
樹脂ケース５００ａ、５００ｂは、絶縁樹脂製のカップ体である。樹脂ケース５００ａ、５００ｂは、互いに組み合わされ、内部にボディ１００、端子群２００及びシールドケース３００を収容している。樹脂ケース５００ａ、５００ｂの先端面には、第２外殻部３００ｂの収容部３１０ｂの接続穴を露出させる開口５１０ａ、５１０ｂが開設されている。樹脂ケース５００ａ、５００ｂの後端面には、ケーブル４００を導出させるための図示しない導出孔が開設されている。
【００３４】
以下、上述した構成のコネクタの組み立て手順について詳しく説明する。まず、ボディ１００を用意し、ボディ１００の圧入孔１１３に、端子２０１〜２１９の先端部を挿入し、次いで該端子２０１〜２１９の中間部を圧入する。このとき、端子２０１〜２１９の先端部がボディ１００の前側挿入溝１２１に、端子２０１〜２１９の後端部がボディ１００の後側挿入溝１３１に挿入される。その後、ケーブル４００を用意する。このケーブル４００の端部の保護層４３０及びシールド導体４２０をカットし、信号線４１０を露出させる。この信号線４１０の絶縁樹脂層をカットし、芯線４１１を露出させる。更に、保護層４３０の端部をカットしてシールド導体４２０の端部を露出させる。その後、信号線４１０の芯線４１１を端子２０１〜２１９の後端部に各々半田接続する。その後、導電性を有する金属板をプレス成型して作成された第２外殻部３００ｂを用意する。その後、第２外殻部３００ｂの収容部３１０ｂにボディ１００のボディ本体１１０の先端部１１１を後方から挿入し嵌合させる。すると、ボディ本体１１０の先端部１１１及び後端部１１２の上面が第２外殻部３００ｂの天板３１１ｂに当接し、ボディ本体１１０の先端部１１１の下面が第２外殻部３００ｂの底板３１２ｂに当接し、ボディ本体１１０の後端部１１２の下面が蓋部３２０ｂに当接し、ボディ本体１１０の先端部１１１の幅方向の両側面が第２外殻部３００ｂの側板３１３ｂに当接し、ボディ本体１１０の後端部１１２の幅方向の両側面が第２外殻部３００ｂのカバー部３３０ｂに各々当接する。このとき、ボディ本体１１０の後端部１１２の前記両端部の下端部が側板３１３ｂの下端部に後方から当接し、天板３１１ｂの一対の係止凸部３１１ｂ２がボディ１００の上側凹部１１１ａの奥側面を乗り越え、一対の係止凹部１１２ａに各々係止されると共に、蓋部３２０ｂの係止凸部３２１ｂがボディ１００の下側凹部１１１ｂの奥側面を乗り越え、係止凹部１１２ｂに係止される。また、接続部３４０ｂの後端部がケーブル４００のシールド導体４２０に対向配置される。
【００３５】
その後、導電性を有する金属板をプレス成型して作成された第１外殻部３００ａを用意する。この第１外殻部３００ａは、接続部３５０の接続部本体３５１ａをリング状に湾曲させる前の状態となっている。その後、第１外殻部３００ａの一対のインピーダンス調整板３２０ａをボディ１００の一対のスリット１１２ｃに位置合わせしつつ、挿入する。これにより、インピーダンス調整板３２０ａが端子２０１、２１９の外側に隣接する。このとき、第１外殻部３００ａの開口５１０ａに第２外殻部３００ｂの蓋部３２０ｂが入り込む。これと共に、第１外殻部３００ａの一対の係止板３３０ａの係止孔３３１ａに第２外殻部３００ｂの一対のカバー部３３０ｂの係止凸部３３１ｂが各々係止される。その後、接続部本体３５１ａをリング状に湾曲させ、第２外殻部３００ｂの接続部３４０ｂの後端部及びケーブル４００のシールド導体４２０に外嵌させる。これにより、接続部本体３５１ａ及び接続部３４０ｂの後端部がシールド導体４２０に接触し、電気的に接続される。
【００３６】
以上のようなコネクタによる場合、第１外殻部３００ａのインピーダンス調整板３２０ａが端子２０３の反対側で端子２０１の中間部に隣接しているため、別部品を追加することなく、端子２０１のインピーダンスを低下させ、端子２０１、２０３のインピーダンス整合を図ることができる。その結果、端子２０１、２０３間のインピーダンス特性を、他の差動ペアの端子間のインピーダンス特性と略同じにすることができる。
【００３７】
しかも、第２外殻部３００ｂのカバー部３３０ｂに第１外殻部３００ａの係止板３３０ａを係止させる際に、インピーダンス調整板３２０ａがボディ１００のスリット１１２ｃに挿入され、端子２０１、２１９の外側に隣接配置されるようになっている。すなわち、第１、第２外殻部３００ａ、３００ｂを組み合わせる際に、インピーダンス調整板３２０ａの配置を同時に行うことができるようになっていることから、本コネクタの組み立てが簡単になる。また、インピーダンス調整板３２０ａは、ベース板３１０ａの開口３１１ａの両縁部にインピーダンス調整板３２０ａが各々立設され、開口３１１ａに第２外殻部３００ｂの蓋部３２０ｂが嵌まり込むようになっていることから、組み立て時において、インピーダンス調整板３２０ａが第２外殻部３００ｂの収容部３１０ｂ及び蓋部３２０ｂと干渉することがない。よって、この点でも本コネクタの組み立てが簡単になっている。
【００３８】
なお、上述したレセプタクルコネクタは、上記実施の形態に限定されるものではなく、特許請求の範囲の記載の範囲において任意に設計変更することが可能である。以下、詳しく述べる。
【００３９】
上記実施の形態では、端子群２００の上列の最も端に位置する差動ペアの端子２０３、２０１が第１、第２端子であるとしたが、第１、第２端子は、互いに隣接しており、第２端子が第１端子よりもインピーダンスが高くなっている限り、端子群のどの位置に配置されていても良い。例えば、端子群２００の下列の最も端に位置する差動ペアの端子を第１、第２端子とすることが可能である。但し、第２端子のインピーダンスが第１端子のインピーダンスよりも高くなっている要因は、第２端子が端子群の最端に位置していることに限定されない。また、上記実施の形態では、第１、第２端子は差動ペアを構成しているとしたが、これに限定されるものではない。
【００４０】
上記実施の形態では、シールドケース３００は、第１、第２外殻部３００ａ、３００ｂを有するとしたが、導電性を有し且つボディの外周を覆うことが可能な少なくとも一つの外殻部と、この外殻部に設けられ、前記第１端子の反対側で前記第２端子の少なくとも一部に隣接するインピーダンス調整部とを有している限り任意に設計変更することが可能である。例えば、前記外殻部は、絶縁樹脂やセラミック材等の絶縁材を筒状とし、その外面に導電性を有する金属を蒸着させたものや、導電性を有する金属を筒状に鋳造したものを用いることが可能である。前記外殻部が第１、第２外殻部を有する構成とする場合であっても、第１、第２外殻部として絶縁樹脂やセラミック材等の絶縁材を筒状とし、その外面に導電性を有する金属を蒸着させたものや、導電性を有する金属を筒状に鋳造したものを用いることが可能である。
【００４１】
上記実施の形態では、第１外殻部３００ａは、ベース板３１０ａの先端部に開口３１１ａが開設されているとしたが、ベース板３１０ａの任意の箇所に開設することが可能である。また、前記開口は第２外殻部３００ｂの収容部３１０ｂに設けることも可能である。上述したベース板３１０ａは、開口３１１ａの両縁部がボディ本体１１０の後端部１１２の下面に当接するとしたが、ボディ本体の後端部の少なくとも一部を覆うようになっている限り任意に設計変更することが可能である。例えば、前記ベース部を筒状とし、ボディ本体の後端部及び後側凸部の外周を覆うように構成することも可能である。
【００４２】
また、上記実施の形態では、第２外殻部３００ｂの収容部３１０ｂは、天板３１１ｂと、底板３１２ｂと、一対の側板３１３ｂとを有するとしたが、ボディを収容可能な筒状である限り任意に設計変更可能することが可能である。また、上記実施の形態では、蓋部３２０ｂは底板３１２ｂの後端に連設されているとしたが、これに限定されるものではない。前記蓋部は、前記収容部の任意の箇所に設けることが可能であり、また、前記収容部に開口が設けられている場合には、前記ベース部に設けることが可能である。
【００４３】
また、上記実施の形態では、インピーダンス調整板３２０ａは、第１外殻部３００ａのベース板３１０ａの開口３１１ａの縁部に立設されているとしたが、これに限定されるものではない。前記外殻部に設けられ、第１端子の反対側で第２端子の少なくとも一部に隣接し得る限り任意に設計変更可能である。例えば、インピーダンス調整部は、前記外殻部と別体とし、該外殻部に圧入やインサート成形等により取り付けることができる。また、インピーダンス調整部は、上述したように板状である必要ななく、第２端子の少なくとも一部に隣接し得る形状である限り任意に設計変更することが可能である。また、インピーダンス調整部は、前記ベース部又は収容部に設けられた開口の縁部に設けることが可能であるし、前記収容部又はベース部の開口を塞ぐ蓋部に設けることも可能である。蓋部に設けられている場合には、インピーダンス調整部は、開口から挿入し第２端子に隣接するようになっている。また、上記実施の形態では、インピーダンス調整板３２０ａは、ボディ１００のスリット１１２ｃに挿入されているとしたが、第１端子の反対側で第２端子の少なくとも一部に隣接していれば良い。例えば、インピーダンス調整部をボディの外側且つ第１端子の反対側で第２端子の少なくとも一部に隣接するように配置することも可能である。また、インピーダンス調整部をボディにインサート成形等により埋設し、第１端子の反対側で第２端子の少なくとも一部に隣接するように配置することも可能である。
【００４４】
上記実施の形態では、第１外殻部３００ａの係止板３３０ａの係止孔３３１ａに第２外殻部３００ｂの一対のカバー部３３０ｂの係止凸部３３１ｂが係止されているとしたが、これに限定されるものではない。係止部及びカバー部は、上述の通り、ベース部がボディ本体の後端部を覆う構成である場合には省略することができる。また、係止部とカバー部との係止構造については、両者が係止される限りどのような構成を用いても構わない。例えば、係止部とカバー部とを導電接着剤で接着させても良いし、係止板３３０ａに設けられた係止凸部を、カバー部３３０ｂの係止孔に係止させても良い。また、上記実施の形態では、係止板３３０ａ、カバー部３３０ｂは板状であるとしたが、これに限定されるものではない。また、上記実施の形態では、カバー部３３０ｂは、天板３１１ｂの後端部の幅方向の両端に垂下されているとしたが、これに限定されるものではない。例えば、カバー部３３０ｂは側板３１３ｂの後端に延設された構成とすることが可能である。
【００４５】
上記実施の形態では、第１、第２外殻部３００ａ、３００ｂは、接続部３５０ａ、３４０ｂを有しているとしたが、これに限定されるものではない。第１、第２外殻部が組み合わされる場合には、第１、第２外殻部少なくとも一方がケーブルのシールド導体に接続される接続部を有していれば良い。また、第１、第２外殻部が相手方コネクタに接続された際に相手方コネクタのシールドケースを通じてグランド接続される場合には接続部を省略することが可能である。接続部の形状は、シールド導体に接続され得る限り任意に設計変更することが可能である。
【００４６】
上記実施の形態では、ボディ１００は、ボディ本体１１０、前側凸部１２０及び後側凸部１３０を有するとしたが、内部に端子群が設けられ、シールドケースに収容されるものである限り任意に設計変更することが可能である。また、上記実施の形態では、スリット１１２ｃは、ボディ本体１１０の後端部１１２の両端部に設けられているとしたが、ボディの前記第２端子の前記第１端子の反対側に設けられている限りどのような箇所に設けることも可能である。
【００４７】
なお、上記実施の形態では、レセプタクルコネクタの各部を構成する素材、形状、寸法及び配置等はその一例を説明したものであって、同様の機能を実現し得る限り任意に設計変更することが可能である。また、上記実施の形態では、本発明のコネクタは、ＨＤＭＩ  ＴＹＰＥ  Ａに対応するレセプタクルコネクタであるとしたが、Ｔｙｐｅ  Ａ以外のＨＤＭＩの規格又はＨＤＭＩ以外の規格に対応するコネクタとすることが可能である。また、本発明は、レセプタクルコネクタだけでなく、プラグコネクタとすることも可能である。
【符号の説明】
【００４８】
１００・・・ボディ
１１０・・ボディ本体
１１２ｃ・スリット
１２０・・前側凸部
１３０・・後側凸部
２００・・・端子群
２０１・・端子（第２端子）
２０２・・端子（第３端子）
２０３・・端子（第１端子）
３００・・・シールドケース
３００ａ・・第１外殻部
３１０ａ・ベース板（ベース部）
３１１ａ・開口
３２０ａ・インピーダンス調整板（インピーダンス調整部）
３３０ａ・係止板（係止部）
３４０ａ・背面板
３５０ａ・接続部
３００ｂ・・第２外殻部
３１０ｂ・収容部
３１１ｂ・天板（第１板部）
３１２ｂ・底板（第２板部）
３１３ｂ・側板（第３、第４板部）
３２０ｂ・蓋部
３３０ｂ・カバー部
３４０ｂ・接続部
４００・・・ケーブル
４１０・・信号線
４２０・・シールド導体
【図１】
0005629495.tif 000002
【図２】
0005629495.tif 000003
【図３】
0005629495.tif 000004
【図４】
0005629495.tif 000005
【図５】
0005629495.tif 000006
【図６】
0005629495.tif 000007
【図７】
0005629495.tif 000008